(57)【要約】ＤＯインタフェースと１ｘインタフェースとを提供する第１の通信ネットワークにおいてＡＴへＳＭＳを配信し、ＭＳＣを含む第２の通信ネットワークからのＳＭＳの配信の負荷を低減する方法であって、ＡＴによるページに関し、ＤＯ制御チャネルをモニタすることと、ＳＩＰ内のＳＭＳをＤＯインタフェースを介してＡＴへ配信することとを備える。方法は更に、ＡＴをＤＯインタフェースに合わせることと、ＤＯインタフェースを利用するためにＡＴがＳＩＰ登録されているかを判定することとを備える。ＡＴが、ＤＯインタフェースを利用するためにＳＩＰ登録されているかをアプリケーション・サーバが判定する。ＤＯインタフェースが利用可能ではない場合、ＳＭＳは１ｘインタフェースを介して配信され、この方法は更に、ＡＴがＳＭＳゲートウェイへ特別なＳＭＳを送ることを備える。これは、アプリケーション・サーバに対して、ＡＴが、回路交換ネットワークを含む第１の通信ネットワークをモニタしていることを思い出させる。
2009519688.tif 000002
【特許請求の範囲】
【請求項１】
ＤＯインタフェースと１ｘインタフェースとを提供する第１の通信ネットワークにおいてアクセス端末へショート・メッセージ・サービス（ＳＭＳ）を配信し、第２の通信ネットワークからの前記ＳＭＳの配信の負荷を低減する方法であって、
アクセス端末（ＡＴ）によるページに関し、ＤＯ制御チャネルをモニタすることと、
前記ＤＯインタフェースが利用可能である場合、セッション初期化プロトコル（ＳＩＰ）にカプセル化された前記ＳＭＳを前記ＤＯインタフェースを介して前記ＡＴへ配信することと
を備える方法。
【請求項２】
前記第２の通信ネットワークはモバイル交換局（ＭＳＣ）を含む請求項１に記載の方法。
【請求項３】
前記ＤＯインタフェースが利用可能である場合、前記ＡＴを前記ＤＯインタフェースに合わせることを更に備える請求項１に記載の方法。
【請求項４】
前記ＤＯインタフェースを利用するために前記ＡＴがＳＩＰ登録されているかを判定することを更に備える請求項１に記載の方法。
【請求項５】
前記ＤＯインタフェースを利用するために前記ＡＴがＳＩＰ登録されているかをアプリケーション・サーバが判定する請求項４に記載の方法。
【請求項６】
前記１ｘインタフェースのみが利用可能であれば、前記ＡＴが前記ＤＯインタフェースを検出しなかったことを、前記第２の通信ネットワークに通知することと、前記１ｘインタフェースを介して前記ＳＭＳを配信することとを更に備える請求項１に記載の方法。
【請求項７】
前記ＡＴが、ＳＭＳゲートウェイへ特別なＳＭＳを送ることを更に備え、前記ＳＭＳゲートウェイは、アプリケーション・サーバに、前記ＡＴが現在前記第１の通信ネットワークをモニタしていることを思い出させ、前記第１の通信ネットワークは、回路交換ネットワークを含む請求項６に記載の方法。
【請求項８】
前記ＡＴが、ＳＭＳゲートウェイへ特別なＳＭＳを送ることを更に備え、前記ＳＭＳゲートウェイは、ＳＭＳサービスに関し、前記ＡＴを前記ＳＩＰネットワークから登録解除させる請求項６に記載の方法。
【請求項９】
前記ＤＯインタフェースを出る場合、前記ＳＩＰネットワークから前記ＡＴを登録解除するためのＳＭＳを送ることを更に備える請求項８に記載の方法。
【請求項１０】
前記ＤＯインタフェースが再び利用可能になった場合、前記ＳＭＳが前記ＤＯインタフェースを介して配信されるようにするために、前記ＡＴに関するＳＩＰ登録を実行することを更に備える請求項６に記載の方法。
【請求項１１】
前記ＡＴが、前記ＤＯインタフェースにおいてＳＭＳを送受信できることを示し、前記第１および第２のネットワークが、肯定的または否定的な応答を示す場合、前記ＡＴと前記第１および第２の通信ネットワークが、ＳＩＰ通知を担当する請求項１に記載の方法。
【請求項１２】
ＳＩＰ登録が成功し、前記ＳＩＰ通知がＳＭＳ可能であることを示すのであれば、前記ＡＴは、前記ＤＯインタフェース上でＳＩＰを用いてＳＭＳを発信する請求項１１に記載の方法。
【請求項１３】
前記ＤＯインタフェースを介したＳＭＳ機能を前記ＡＴに提供するために、ＯＴＡＳＰが使用される請求項１に記載の方法。
【請求項１４】
前記ＤＯインタフェース機能によって前記ＡＴにＳＭＳが提供されると、前記ＤＯインタフェースが利用可能な場合に、前記ＡＴは、前記ＤＯインタフェース上でＳＩＰを介してＳＭＳを送受信する請求項１３に記載の方法。
【請求項１５】
ＤＯインタフェースと１ｘインタフェースとを提供する第１の通信ネットワークにおいてアクセス端末へショート・メッセージ・サービス（ＳＭＳ）を配信し、モバイル交換局（ＭＳＣ）を含む第２の通信ネットワークからの前記ＳＭＳの配信の負荷を低減する方法であって、
前記ＳＭＳまたは音声コールが、前記ＤＯインタフェースまたは前記１ｘインタフェース上で配信されるべきかを判定するために、前記第１および第２の通信ネットワークにセッション初期化プロトコル（ＳＩＰ）通知を担当させるＣＣＣＦ／ＮｅＤＳを備える方法。
【請求項１６】
前記ＡＴが、ＳＩＰ登録されていないのであれば、前記１ｘインタフェース上で前記ＳＭＳまたは音声コールを配信することを更に備える請求項１５に記載の方法。
【請求項１７】
前記ＡＴはＳＩＰ登録されており、前記ＡＴは、ＳＩＰ通知を用いて音声を受信可能であると示され、前記ＡＴが前記ＤＯインタフェースまたは前記１ｘインタフェースのうちの何れをモニタしているかを示すレコードが、前記ＤＯインタフェースに設定されているのであれば、前記音声コールは、前記ＤＯインタフェース上で配信される請求項１５に記載の方法。
【請求項１８】
前記ＡＴはＳＩＰ登録されており、前記ＡＴは、ＳＩＰ通知を用いてＳＭＳを受信可能であると示され、前記ＡＴが前記ＤＯインタフェースまたは前記１ｘインタフェースのうちの何れをモニタしているかを示すレコードが、前記ＤＯインタフェースに設定されているのであれば、前記ＳＭＳは、前記ＤＯインタフェース上で配信される請求項１５に記載の方法。
【請求項１９】
アクティブ・セット・メンバの全てが、ボイス・オーバ・ＩＰ（ＶｏＩＰ）をサポートしているのであれば、前記ＡＴは、音声コールが前記ＤＯインタフェース上で配信されるべきであることを示すＳＩＰ通知を送る請求項１に記載の方法。
【請求項２０】
前記アクティブ・セット・メンバのうちの少なくとも１つがＶｏＩＰをサポートしないのであれば、前記ＡＴは、前記音声コールが前記１ｘインタフェース上で配信されるべきであることを示すＳＩＰ通知を送る請求項１９に記載の方法。
【請求項２１】
ＤＯインタフェースと１ｘインタフェースとを提供する第１の通信ネットワークにおいてアクセス端末へショート・メッセージ・サービス（ＳＭＳ）を配信し、第２の通信ネットワークからの前記ＳＭＳの配信の負荷を低減する無線通信システムであって、
アクセス端末（ＡＴ）によるページに関し、ＤＯ制御チャネルをモニタする手段と、
前記ＤＯインタフェースが利用可能である場合、セッション初期化プロトコル（ＳＩＰ）にカプセル化された前記ＳＭＳを前記ＤＯインタフェースを介して前記ＡＴへ配信する手段と
を備える無線通信システム。
【請求項２２】
前記第２の通信ネットワークはモバイル交換局（ＭＳＣ）を含む請求項２１に記載のシステム。
【請求項２３】
前記ＤＯインタフェースが利用可能である場合、前記ＡＴを前記ＤＯインタフェースに合わせる手段を更に備える請求項２１に記載のシステム。
【請求項２４】
前記ＤＯインタフェースを利用するために前記ＡＴがＳＩＰ登録されているかを判定する手段を更に備える請求項２１に記載のシステム。
【請求項２５】
前記ＤＯインタフェースを利用するために前記ＡＴがＳＩＰ登録されているかを判定する手段は、アプリケーション・サーバである請求項２４に記載のシステム。
【請求項２６】
前記１ｘインタフェースのみが利用可能であれば、前記ＡＴが前記ＤＯインタフェースを検出しなかったことを、前記第２の通信ネットワークに通知する手段と、前記１ｘインタフェースを介して前記ＳＭＳを配信する手段とを更に備える請求項２１に記載のシステム。
【請求項２７】
前記ＡＴが、ＳＭＳゲートウェイへ特別なＳＭＳを送るための手段を更に備え、前記ＳＭＳゲートウェイは、アプリケーション・サーバに、前記ＡＴが現在前記第１の通信ネットワークをモニタしていることを思い出させ、前記第１の通信ネットワークは、回路交換ネットワークを含む請求項２６に記載のシステム。
【請求項２８】
前記ＡＴが、ＳＭＳゲートウェイへ特別なＳＭＳを送るための手段を更に備え、前記ＳＭＳゲートウェイは、ＳＭＳサービスに関し、前記ＡＴを前記ＳＩＰネットワークから登録解除させる請求項２６に記載のシステム。
【請求項２９】
前記ＤＯインタフェースを出る場合、前記ＳＩＰネットワークから前記ＡＴを登録解除するためのＳＭＳを送る手段を更に備える請求項２８に記載のシステム。
【請求項３０】
前記ＤＯインタフェースが再び利用可能になった場合、前記ＳＭＳが前記ＤＯインタフェースを介して配信されるようにするために、前記ＡＴに関するＳＩＰ登録を実行する手段を更に備える請求項２６に記載のシステム。
【請求項３１】
前記ＡＴが、前記ＤＯインタフェースにおいてＳＭＳを送受信できることを示し、前記第１および第２のネットワークが、肯定的または否定的な応答を示す場合、前記ＡＴと前記第１および第２の通信ネットワークが、ＳＩＰ通知を担当する請求項２１に記載のシステム。
【請求項３２】
ＳＩＰ登録が成功し、前記ＳＩＰ通知がＳＭＳ可能であることを示すのであれば、前記ＡＴは、前記ＤＯインタフェース上でＳＩＰを用いてＳＭＳを発信する請求項３１に記載のシステム。
【請求項３３】
前記ＤＯインタフェースを介したＳＭＳ機能を前記ＡＴに提供するために、ＯＴＡＳＰが使用される請求項３１に記載のシステム。
【請求項３４】
前記ＤＯインタフェース機能によって前記ＡＴにＳＭＳが提供されると、前記ＤＯインタフェースが利用可能な場合に、前記ＡＴは、前記ＤＯインタフェース上でＳＩＰを介してＳＭＳを送受信する請求項３３に記載のシステム。
【請求項３５】
ＤＯインタフェースと１ｘインタフェースとを提供する第１の通信ネットワークにおいてアクセス端末へショート・メッセージ・サービス（ＳＭＳ）を配信し、モバイル交換局（ＭＳＣ）を含む第２の通信ネットワークからの前記ＳＭＳの配信の負荷を低減する無線通信システムであって、
前記ＳＭＳまたは音声コールが、前記ＤＯインタフェースまたは前記１ｘインタフェース上で配信されるべきかを判定するために、セッション初期化プロトコル（ＳＩＰ）通知において前記第１および第２の通信ネットワークを担当させる手段を備える無線通信システム。
【請求項３６】
前記ＡＴが、ＳＩＰ登録されていないのであれば、前記１ｘインタフェース上で前記ＳＭＳまたは音声コールを配信する手段を更に備える請求項２５に記載のシステム。
【請求項３７】
前記ＡＴはＳＩＰ登録されており、前記ＡＴは、ＳＩＰ通知を用いて音声を受信可能であると示され、前記ＡＴが前記ＤＯインタフェースまたは前記１ｘインタフェースのうちの何れをモニタしているかを示すレコードが、前記ＤＯインタフェースに設定されているのであれば、前記音声コールは、前記ＤＯインタフェース上で配信される請求項２５に記載のシステム。
【請求項３８】
前記ＡＴはＳＩＰ登録されており、前記ＡＴは、ＳＩＰ通知を用いてＳＭＳを受信可能であると示され、前記ＡＴが前記ＤＯインタフェースまたは前記１ｘインタフェースのうちの何れをモニタしているかを示すレコードが、前記ＤＯインタフェースに設定されているのであれば、前記ＳＭＳは、前記ＤＯインタフェース上で配信される請求項２５に記載のシステム。
【請求項３９】
アクティブ・セット・メンバの全てが、ボイス・オーバ・ＩＰ（ＶｏＩＰ）をサポートしているのであれば、前記ＡＴは、音声コールが前記ＤＯインタフェース上で配信されるべきであることを示すＳＩＰ通知を送る請求項２１に記載のシステム。
【請求項４０】
前記アクティブ・セット・メンバのうちの少なくとも１つがＶｏＩＰをサポートしないのであれば、前記ＡＴは、前記音声コールが前記１ｘインタフェース上で配信されるべきであることを示すＳＩＰ通知を送る請求項３９に記載のシステム。
【発明の詳細な説明】
【技術分野】
【０００１】
本発明は、一般に、通信に関し、特に、ＤＯおよび１ｘネットワークまたはインタフェース上で配信されるべきであるショート・メッセージ・サービス（ＳＭＳ）を提供し、モバイル交換局（ＭＳＣ）インタフェース上の負荷を低減する技術に関する。
【背景技術】
【０００２】
無線通信ネットワークは、例えば、音声、パケット・データ、ブロードキャスト等のような様々なタイプのサービスを提供するために広く展開している。これらの無線ネットワークは、符号分割多元接続（ＣＤＭＡ）ネットワーク、グローバル移動体通信システム（ＧＳＭ）ネットワーク、ユニバーサル移動体通信システム（ＵＭＴＳ）ネットワーク等を含んでいる。ネットワークは一般にシステム構成を称するが、これら２つの用語は相互交換可能に使用される。
【０００３】
各無線ネットワークは、オーバ・ザ・エア通信をサポートする特定のエア・インタフェースを利用し、一般にはさらに、ローミング・サービスおよび高度なサービスをサポートする特定のモバイル・ネットワーキング・プロトコルを実施する。例えば、ＣＤＭＡネットワークは、ＣＤＭＡエア・インタフェースおよびＡＮＳＩ−４１ネットワーク・プロトコルを利用する。ＣＤＭＡネットワークは、例えばＩＳ−２０００（１ｘＥＶ）、ＩＳ−８５６（１ｘ−ＥＶＤＯ）、ＩＳ−９５等のような１または複数のＣＤＭＡ規格を実施することができる。ＣＤＭＡネットワークは、ネットワーク内のユーザへメッセージをブロードキャストするブロードキャスト・サービスを提供することができる。ブロードキャスト・メッセージは、例えば、ニュース、交通情報、気象通報等のような様々なタイプの情報を伝えることができる。
【０００４】
ＣＤＭＡネットワークにおけるブロードキャスト・サービスは、ショート・メッセージ・サービス（ＳＭＳ）を用いて実施される。それは、無線ネットワークと無線デバイス（例えば、セルラ電話）との間での短いメッセージの交換をサポートするサービスである。ＳＭＳはネットワーク技術に依存し、ＡＮＳＩ−４１について異なるＳＭＳ実施が定義されている。ＳＭＳ実施はそれぞれ異なる機能を持っており、ＳＭＳメッセージを送信するため異なるメッセージ・タイプおよびフォーマットを利用する。ＡＮＳＩ−４１ネットワークのためのＳＭＳ実施は、"Short Message Service for Wideband Spread Spectrum Systems"と題された文書ＴＩＡ／ＥＩＡー６３７−Ｂに著されており、これは公的に利用可能であり、参照によって本明細書に組み込まれている。ＣＤＭＡネットワークにおけるブロードキャスト・メッセージの量が増加すると、ＤＯインタフェースが利用可能な場合、ＤＯインタフェース上でＳＭＳを配信することによって、モバイル交換局（ＭＳＣ）上の負荷を低減する必要がある。
【発明の開示】
【０００５】
（３５Ｕ．Ｓ．Ｃ．§１１９の下の優先権主張）  
本特許出願は、本願の譲受人に譲渡され、本明細書に参照によって明確に組み込まれている２００５年１２月１３日出願の"System and Method for Delivering Short Messages on DO and 1x Networks"と題された米国特許仮出願６０／７５０，２３４号の優先権を主張する。
【発明の概要】
【０００６】
本発明は、ＤＯインタフェースが利用可能な場合、ＤＯインタフェース上でＳＭＳを配信することによって、ＭＳＣ上の負荷を低減するシステムおよび方法に関する。１つの局面では、ＤＯインタフェースおよび１ｘインタフェースを提供する第１の通信ネットワークにおいてアクセス端末へＳＭＳを配信し、第２の通信ネットワークからのＳＭＳの配信の負荷を低減するための方法が記載される。この方法は、アクセス端末（ＡＴ）によるページに関し、ＤＯ制御チャネルをモニタすることと、ＤＯインタフェースが利用可能な場合、セッション初期化プロトコル（ＳＩＰ）内にカプセル化されたＳＭＳを、ＤＯインタフェースを介してＡＴへ配信することとを備える。この局面では、第２の通信ネットワークはＭＳＣを含んでいる。方法は更に、ＤＯインタフェースが利用可能な場合に、ＤＯインタフェースにＡＴを合わせることと、ＡＴが、ＤＯインタフェースを使用するためにＳＩＰ登録されているかを判定することとを含みうる。この局面では、アプリケーション・サーバが、ＡＴが、ＤＯインタフェースを使用するためにＳＩＰ登録されているかを判定する。
【０００７】
別の局面では、１ｘインタフェースのみが利用可能である場合、この方法は更に、ＡＴがＤＯインタフェースを検出しなかったことを第２の通信ネットワークへ通知することと、ＳＭＳサービスを求めて、ＳＩＰネットワークから、ＡＴを登録解除することと、１ｘインタフェースを介してＳＭＳを配信することとを備える。この局面を用いて、この方法は更に、ＡＴが特別のＳＭＳをＳＭＳゲートウェイへ送ることを備える。ここで、ＳＭＳゲートウェイは、アプリケーション・サーバに対して、ＡＴが現在、回路交換ネットワークを含む第１の通信ネットワークをモニタしていることを思い出させる。ＳＭＳゲートウェイは更に、ＳＭＳサービス用のＳＩＰネットワークから、ＡＴを登録解除する。ＤＯインタフェースが再び利用可能な場合、この方法は更に、ＳＭＳがＤ０インタフェースを介して配信されるように、ＡＴのためのＳＩＰ登録を実行することを備える。
【０００８】
別の局面では、ＡＴと第１および第２の通信ネットワークは、ＡＴがＤＯインタフェース上でＳＭＳを送受信する能力を示し、第１および第２のネットワークが、肯定的または否定的何れかの応答を示すことができるＳＩＰ通知を担当する。この局面を用いて、ＡＴは、ＳＩＰ登録が成功し、ＳＩＰ通知がＳＭＳ可能であることを示す場合、ＤＯインタフェース上で、ＳＩＰを用いてＳＭＳを起動する。
【０００９】
別の局面では、ＤＯインタフェースを介したＳＭＳ機能をＡＴに提供するためにＯＴＡＳＰが使用されうる。この局面では、ＤＯインタフェース機能によってＡＴにＳＭＳが提供されると、ＡＴは、ＤＯインタフェースが利用可能である場合、ＤＯインタフェース上で、ＳＩＰを介してＳＭＳを送受信するだろう。
【００１０】
別の局面では、この方法は更に、ＳＭＳまたは音声コールが、ＤＯインタフェースまたは１ｘインタフェース上で配信されるべきかを判定するために、第１および第２の通信ネットワークにＳＩＰ通知を担当させるＣＣＣＦ／ＮｅＤＳを更に備える。この局面では、ＡＴが、ＳＩＰ登録されていないのであれば、この方法は更に、１ｘインタフェース上でＳＭＳまたは音声コールを配信することを備えうる。ＡＴが、ＳＩＰ登録されており、ＡＴがＳＩＰ通知を用いて音声を受信できると示され、かつ、ＡＴがＤＯインタフェースまたは１ｘインタフェースの何れをモニタしているかを示すレコードが、ＤＯインタフェースに設定されている場合、ＤＯインタフェース上で音声コールが配信される。ＡＴが、ＳＩＰ登録されており、ＡＴがＳＩＰ通知を用いてＳＭＳを受信できると示され、かつ、ＡＴがＤＯインタフェースまたは１ｘインタフェースの何れをモニタしているかを示すレコードが、ＤＯインタフェースに設定されている場合、ＤＯインタフェース上でＳＭＳが配信される。
【００１１】
別の局面では、アクティブ・セット・メンバの全てがボイス・オーバＩＰ（ＶｏＩＰ）をサポートしている場合、ＡＴは、音声コールがＤＯインタフェース上で配信されるべきであることを示すＳＩＰ通知を送る。この局面では、アクティブ・セット・メンバのうちの少なくとも１つがＶｏＩＰをサポートしない場合、ＡＴは、音声コールが１ｘインタフェース上で配信されるべきであることを示すＳＩＰ通知を送る。
【詳細な説明】
【００１２】
用語「典型的」は、「例、事例あるいは例示として役立つ」ことを意味するために本明細書で使用される。本明細書において「典型的」と記載される何れの実施形態も、他の実施形態よりも好適であるとか有利であるとか必ずしも解釈される必要はない。
【００１３】
本発明は、ショート・メッセージ・サービス−ゲートウェイ（ＳＭＳ−ＧＷ）、ホーム加入者サーバ（ＨＳＳ）、およびサービス提供コール／セッション制御機能（Ｓ−ＣＳＣＦ）間の相互作用およびシグナリング・フローを定義する。
【００１４】
特に、本発明によって、コア・ネットワークは、ＵＥの現在のアクセス性を可能な限り緊密に知り、レガシー・システム上のインパクトを最小にしながら、適切なアクセス・ネットワーク（ＡＮ）を介してサービスを効率的に配信することが可能となる。
【００１５】
以下は、本発明を記述するために使用される略語および定義である。  
（略語）  
ＡＮＳＩ      アメリカ規格協会。  
ＡＳ          アプリケーション・サーバ。  
ＡＴ          アクセス端末。  
ＢＧＣＦ      ボーダ・ゲートウェイ制御機能。  
ＢＳＣ        基地局コントローラ。  
ＣＩＣ        回路識別コード。  
ＣＳ          回路交換。  
ＣＳＣＦ      コール／セッション制御機能。  
ＤＢＭ        データ・バースト・メッセージ。  
ＥＳＮ        電子製造番号。  
ＥＳＳ        拡張サービス・セット。  
ＧＷ          ゲートウェイ。  
ＨＬＲ        ホーム・ロケーション・レジスタ。  
ＨＯ          ハンドオフ。  
ＨＲＰＤ      高レート・パケット・データ。  
ＨＳ          ホーム加入者サーバ。  
ＩＭＳ        ＩＰマルチメディア・サブシステム。  
ＩＭＳＩ      国際モバイル加入者アイデンティティ。  
ＩＰｖ４      インターネット・プロトコル・バージョン４。  
ＩＰｖ６      インターネット・プロトコル・バージョン６。  
Ｉ−ＣＳＣＦ  インターロゲーティングＣＳＣＦ。  
ＩＳＵＰ      ＩＳＤＮユーザ・パート。  
Ｍｅｇａｃｏ  メディア・ゲートウェイ制御。  
ＭＧＣＦ      メディア・ゲートウェイ制御機能。  
ＭＧＷ        メディア・ゲートウェイ。  
ＭＩＮ        モバイル識別番号。  
Ｍ−Ｌ        モバイル・トゥ・ランド。  
Ｍ−Ｍ        モバイル・トゥ・モバイル。  
ＭＭＤ        マルチメディア・ドメイン。  
ＭＳ          移動局。  
ＭＳＣ        モバイル交換局。  
ＰＣＭ        パルス符号変調。  
Ｐ−ＣＳＣＦ  プロキシ−ＣＳＣＦ。  
ＰＤＩＦ      パケット・データ・インターワーキング機能。  
ＰＤＳＮ      パケット・データ・サービング・ノード。  
ＰＳＴＮ      公衆交換電話ネットワーク。  
ＲＴＰ        リアルタイム・トランスポート・プロトコル。  
ＳＩＰ        セッション初期化プロトコル。  
ＳＭＳ        ショート・メッセージ・サービス。  
Ｓ−ＣＳＣＦ  サービス提供ＣＳＣＦ。  
ＳＤＰ        セッション記述プロトコル。  
ＳＴＡ        局。  
ＴＤＭ        時分割多重。  
ＴＬＤＮ      テンポラリ・ローカル・ディレクトリ番号。  
ＵＤＰ        ユーザ・データグラム・プロトコル。  
ＶＣＣ  ＡＳ  音声コール連続性アプリケーション・サーバ。  
ＶｏＩＰ      ボイス・オーバＩＰ。  
ＶＬＲ        ビジタ・ロケーション・レジスタ。  
ＷＬＡＮ      無線ローカル・エリア・ネットワーク。  
（定義）  
ＶＣＣ  ＡＳ  （１）受信したコールを、ＩＭＳネットワークまたはＰＳＴＮのうちの何れかから、１ｘ  ＣＳ登録されているか、または、ＩＭＳ登録されているかの何れか、あるいはその両方に登録されている端末へルーティングすることを支援し、  
（２）ＨＲＰＤ／ＷＬＡＮ  ＶｏＩＰの１ｘ回路交換音声へのハンドオフと、１ｘ回路交換音声のＨＲＰＤ／ＷＬＡＮ  ＶｏＩＰへのハンドオフとを容易にするために音声コールセットアップ・シグナリングに含まれるエンティテイ。  
ＳＭＳ−ＧＷ  ＳＭＳメッセージを格納し、そして、ＩＭＳ登録されているか、または１ｘ  ＣＳ登録されているかのうちの何れかである端末との間でＳＭＳメッセージを送受信するエンティテイ。
【００１６】
本明細書でアクセス端末と呼ばれるＨＤＲ加入者局は、移動式または固定式であり、本明細書でモデム・プール・トランシーバ（ＭＰＴ）と呼ばれる１または複数のＨＤＲ基地局と通信することができる。アクセス端末は、１または複数のモデム・プール・トランシーバを介して、ＨＤＲ基地局コントローラ（ＢＳＣ）あるいはモデム・プール・コントローラ（ＭＰＣ）とデータ・パケットを送受信する。モデム・プール・トランシーバおよびモデム・プール・コントローラは、アクセス・ネットワークと呼ばれるネットワークの一部である。アクセス・ネットワークは、多くの接続端末間でデータ・パケットを伝送する。アクセス・ネットワークは更に、例えば企業イントラネットまたはインターネットのようなアクセス・ネットワークの外部の追加ネットワークに接続されることができ、各アクセス端末とそのような外部ネットワークとの間でデータを伝送することができる。１または複数のモデム・プール・トランシーバとのアクティブなトラフィック・チャネル接続を確立したアクセス端末は、アクティブなアクセス端末と呼ばれ、トラフィック状態にあると言われている。１または複数のモデム・プール・トランシーバとのアクティブなトラフィック・チャネル接続を確立する処理中にあるアクセス端末は、接続セットアップ状態にあると言われている。アクセス端末は、無線チャネル、あるいは有線チャネルを介して通信するあらゆるデータ・デバイスでありうる。アクセス端末は更に、限定される訳ではないが、ＰＣカード、コンパクト・フラッシュ、外部あるいは内蔵モデム、または無線あるいは有線電話を含む多くのタイプのデバイスのうちの何れかでありうる。アクセス端末がモデム・プール・トランシーバに信号を送る通信リンクは、逆方向リンクと呼ばれる。モデム・プール・トランシーバがアクセス端末へ信号を送る通信リンクは、順方向リンクと呼ばれる。
【００１７】
（ＳＭＳのためのシグナリング・フロー）  
図１を参照して、ＳＭＳ開始および終了のためシグナリング・フローをサポートするアーキテクチャ１００が示される。例えば、モバイルが、ホームネットワーク１０２および訪問ネットワーク１０４の両方に登録されている場合、ＳＭＳ−ＧＷ１０６は、モバイルへの最初のＳＭＳ配信を試みるためにどのチャネルを使用するのか、すなわち、ＩＳＭであるか、回路交換ネットワークを介して行うのかを決定することができる。より具体的には、ＳＭＳ−ＧＷ１０６は、ＳＭＳ−ＧＷローカル・コンフィグレーション情報（すなわち、オペレータの選択）であるか、または、モバイル・ユーザ提供情報（すなわち、加入者の選択）であるか、これら両方に基づいて配信チャネルを選択することができる。ローカル・コンフィグレーションとユーザ提供情報との両方がオペレータによってサポートされている場合、ＳＭＳ−ＧＷ１０６は、チャネル選択を、ユーザ提供情報（すなわち、加入者の選択）に基づかせることができる。最初に選択された配信の試みが失敗した場合、ＳＭＳ−ＧＷ１０６は、別のチャネルを経由した配信を試みる。
【００１８】
（最初のＩＭＳ配信の試み：成功シナリオ）  
図２に示すように、端末が、ＳＩＰ登録されており、ＨＲＰＤに合わせられ、ＳＭＳメッセージを受信するシナリオのためのシグナリング・フローが示される。この局面では、  
１．ＵＥ２００のためにＳＭＳ−ＧＷ１０６は、発信元ＳＭＳ−ＧＷから、ＵＥ  ２００へのＡＮＳＩ−４１  ＳＭＤＰＰメッセージ２０２を受信する。発信元ＳＭＳ−ＧＷは、簡略のために図示していない。  
２．ＳＭＳ−ＧＷ１０６は、発信元ＳＭＳ−ＧＷにＡＮＳＩ−４１  ｓｍｄｐｐメッセージ２０４を送ることにより応答する。  
３．ＳＭＳ−ＧＷ１０６は、ＩＭＳを用いるように提供され、ＳＭＳ−ＧＷ１０６は、ＵＥ２００が、ＩＭＳ登録されているか否かを判定するために、ＨＳＳ１０８へＤｉａｍｅｔｅｒ  Ｕｓｅｒ−Ｄａｔａ−Ｒｅｑｕｅｓｔメッセージ２０６を送る。ＳＭＳ−ＧＷ１０６は、ステップ１で受信したＵＥ２００のＭＤＮを用いてＨＳＳ１０８に問い合わせを行う。  
４．ＨＳＳ１０８は、ＳＭＳ−ＧＷ１０６へＤｉａｍｅｔｅｒ  Ｕｓｅｒ−Ｄａｔａ−Ａｎｓｗｅｒメッセージ２０８を送り、ＵＥ２００が、ＩＭＳ登録されていることを示すことによって応答する。ＵＥ２００がＩＭＳ登録されている場合、ＨＳＳ１０８は更にＵＥ２００のＳ−ＣＳＣＦ１１４のアドレスを返す。  
５．ＳＭＳ−ＧＷ１０６は、ステップ１で受信したＳＭＳメッセージを含んでいるＳＩＰメッセージ２１０をＵＥ２００のＳ−ＣＳＣＦ１１４へ送る。このＳＩＰメッセージに関連付けられたコンテンツ−タイプ値は、“ａｐｐｌｉｃａｔｉｏｎ／ｖｎｄ．３ｇｐｐ２．ｓｍｓ”でありうる。ＳＩＰメッセージのペイロードはすべて、バイナリ・エンコードされたＳＭＳトランスポート・レイヤ・メッセージを含みうる。  
６．Ｓ−ＣＳＣＦ１１４は、ＵＥ２００のＰ−ＣＳＣＦを経由してＵＥ２００へＳＩＰメッセージ２１２を転送する。ＵＥ２００のＰ−ＣＳＣＦは、簡略のために図示していない。  
７．ＵＥ２００は、ＵＥ２００のＰ−ＣＳＣＦおよびＳ−ＣＳＣＦ１１４を経由してＳＭＳ−ＧＷ１０６へＳＩＰ２００  ＯＫメッセージ２１４を送ることによって応答する。ＵＥ２００のＰ−ＣＳＣＦは、簡略のために図示していない。  
８．ＵＥ２００のＳ−ＣＳＣＦ１１４は、ＳＭＳ−ＧＷ２１６へＳＩＰ２００  ＯＫメッセージ２１６を転送する。  
９．もしオリジナルのＡＮＳＩ−４１  ＳＭＤＰＰメッセージにおいて要求されれば、ＳＭＳ−ＧＷ１０６は、配信状態について通知するために、発信元ＳＭＳ−ＧＷへのＡＮＳＩ−４１  ＳＭＤＰＰメッセージ２１８を生成する。  
１０．発信元ＳＭＳ−ＧＷは、ＡＮＳＩ−４１  ｓｍｄｐｐメッセージ２２０をＳＭＳ−ＧＷ１０６へ送ることによって応答する。
【００１９】
（最初のＩＭＳ配信の試み、ＩＭＳ登録されていない：ＣＳ配信成功）  
別の局面では、図３は、端末が、ＩＭＳ登録されてはいないが、ＣＳ登録されており、１ｘに合わせられ、ＳＭＳメッセージを受信するシナリオのシグナリング・フローを例示する。この局面では、  
１．ＵＥのためにＳＭＳ−ＧＷ１０６は、発信元ＳＭＳ−ＧＷから、ＵＥのためのＭＡＰ  ＳＭＤＰＰメッセージ３０２を受信する。発信元ＳＭＳ−ＧＷとＵＥとは、簡略のために図示していない。  
２．ＳＭＳ−ＧＷ１０６は、ＭＡＰ  ＳＭＤＰＰメッセージの発信元へＭＡＰ  ｓｍｄｐｐメッセージ３０４を送ることによって応答する。  
３．ＳＭＳ−ＧＷ１０６は、ＩＭＳを使用するように提供されており、ＳＭＳ−ＧＷ１０６は、ＵＥが、ＩＭＳ登録されているか否かを判定するために、Ｄｉａｍｅｔｅｒ  Ｕｓｅｒ−Ｄａｔａ−Ｒｅｑｕｅｓｔメッセージ３０６をＨＳＳ１０８へ送る。ＳＭＳ−ＧＷ１０６は、ステップ１で受信したＵＥのＭＤＮを用いてＨＳＳ１０８に問い合わせを行う。  
４．ＨＳＳ１０８は、ＳＭＳ−ＧＷ１０６へＤｉａｍｅｔｅｒ  Ｕｓｅｒ−Ｄａｔａ−Ａｎｓｗｅｒメッセージ３０８を送り、ＵＥは、ＩＭＳ登録されていないことを示すことによって応答する。  
５．ＳＭＳ−ＧＷ１０６は、ＵＥの現在のルーティング情報を決定し、かつＵＥのＭＩＮ情報を取得するために、ＵＥのＭＤＮを含むＭＡＰ  ＳＭＳＲＥＱ３１０をＨＬＲ１１６へ送る。  
６．ＨＬＲ１１６は、ＳＭＳ−ＧＷ１０６へ、ＵＥのＭＩＮとＳＭＳアドレス（すなわち、ＭＳＣ／ＶＬＲ１１８アドレス）を含むＭＡＰ  ＳＭＳＲＥＱメッセージ３１２を送り返す。  
７．ＳＭＳ−ＧＷ１０６は、ＵＥのＭＩＮを含むＭＡＰ  ＳＭＤＰＰメッセージ３１４を、ＵＥの訪問ネットワーク内のＳＭＳアドレス（すなわち、ＭＳＣ／ＶＬＲ１１８アドレス）によって識別されるＭＳＣ３００へ送る。  
８．ＳＭＳメッセージは、１ｘ上でＵＥへ配信され、レイヤ２ＡＣＫが受信される。
【００２０】
ＵＥは、簡略のために図示していない。  
９．ＵＥのための訪問ネットワーク内のＭＳＣ３００は、ＳＭＳ−ＧＷ１０６にＭＡＰ  ｓｍｄｐｐメッセージ３１８を送る。  
１０．オリジナルのＡＮＳＩ−４１  ＳＭＤＰＰメッセージにおいて要求されれば、ＳＭＳ−ＧＷ１０６は、配信状態について通知するために、発信元ＳＭＳ−ＧＷへのＡＮＳＩ−４１  ＳＭＤＰＰメッセージ３２０を生成する。  
１１．発信元ＳＭＳ−ＧＷは、ＡＮＳＩ−４１  ｓｍｄｐｐメッセージ３２２をＳＭＳ−ＧＷ１０６へ送ることによって応答する。
【００２１】
（最初のＩＭＳ配信の試み：端末がＩＭＳ登録されているかのアプリケーション・サーバへの問い合わせ）  
別の局面では、図４は、端末が、ＩＭＳ登録されてはいないが、ＣＳ登録されており、１ｘに合わせられており、端末が、ＩＭＳ登録されているかを判定するためにＳＭＳ−ＧＷがアプリケーション・サーバへ問い合わせるシナリオのシグナリング・フローを例示する。この局面では、  
１．ＵＥのためのＳＭＳ−ＧＷ１０６は、発信元ＳＭＳ−ＧＷから、ＵＥのためのＭＡＰ  ＳＭＤＰＰメッセージ４０２を受信する。発信元ＳＭＳ−ＧＷとＵＥとは、簡略のために図示していない。  
２．ＳＭＳ−ＧＷ１０６は、ＭＡＰ  ＳＭＤＰＰメッセージの送信元へ、ＭＡＰ  ｓｍｄｐｐメッセージ４０４を送ることによって応答する。  
３．ＳＭＳ−ＧＷ１０６は、ＩＭＳを使用するように提供されており、ＳＭＳ−ＧＷ１０６は、ＵＥが、ＩＭＳ登録されているか否かを判定するために、ＶＣＣ  ＡＳ１０７へ問い合わせ４０６を送る。ＳＭＳ−ＧＷ１０６は、ステップ１で受信したＵＥのＭＤＮを用いてＶＣＣ  ＡＳ１０７に問い合わせを行う。  
４．ＶＳＳ  ＡＳ１０７は、ＳＭＳ−ＧＷ１０６へ応答４０８を送り、ＵＥがＩＭＳ登録されていないことを示すことによって応答する。  
５．ＳＭＳ−ＧＷ１０６は、ＵＥの現在のルーティング情報を決定し、かつＵＥのＭＩＮ情報を取得するために、ＵＥのＭＤＮを含むＭＡＰ  ＳＭＳＲＥＱ４１０をＨＬＲ１１６へ送る。  
６．ＨＬＲ１１６は、ＳＭＳ−ＧＷ１０６へ、ＵＥのＭＩＮとＳＭＳアドレス（すなわち、ＭＳＣ／ＶＬＲ１１８アドレス）を含むＭＡＰ  ＳＭＳＲＥＱメッセージ４１２を送り戻す。  
７．ＳＭＳ−ＧＷ１０６は、ＵＥのＭＩＮを含むＭＡＰ  ＳＭＤＰＰメッセージ４１４を、ＵＥのための訪問ネットワーク内のＳＭＳアドレス（すなわち、ＭＳＣ／ＶＬＲ１１８アドレス）によって識別されるＭＳＣ４００へ送る。  
８．ＳＭＳメッセージは、１ｘ上でＵＥへ配信され、レイヤ２ＡＣＫが受信される。  
９．ＵＥのための訪問ネットワーク内のＭＳＣ４００は、ＳＭＳ−ＧＷ１０６にＭＡＰ  ｓｍｄｐｐメッセージ４１８を送る。  
１０．オリジナルのＡＮＳＩ−４１  ＳＭＤＰＰメッセージにおいて要求されれば、ＳＭＳ−ＧＷ１０６は、配信状態について通知するために、発信元ＳＭＳ−ＧＷへのＡＮＳＩ−４１  ＳＭＤＰＰメッセージ４２０を生成する。  
１１．発信元ＳＭＳ−ＧＷは、ＡＮＳＩ−４１  ｓｍｄｐｐメッセージ４２２をＳＭＳ−ＧＷ１０６へ送ることによって応答する。
【００２２】
（最初のＣＳ配信の試み：成功シナリオ）  
別の局面では、図５が、端末がＣＳ登録されており、ＳＭＳメッセージを受信するシナリオのシグナリング・フローを例示する。この局面では、  
１．ＵＥのためのＳＭＳ−ＧＷ１０６は、発信元ＳＭＳ−ＧＷから、ＵＥのためのＭＡＰ  ＳＭＤＰＰメッセージ５０２を受信する。発信元ＳＭＳ−ＧＷは、簡略のために図示していない。ＵＥもまた簡略のために図示していない。  
２．ＳＭＳ−ＧＷ１０６は、ＭＡＰ  ＳＭＤＰＰメッセージの発信元へＭＡＰ  ｓｍｄｐｐメッセージ５０４を送ることによって応答する。  
３．ＳＭＳ−ＧＷ１０６は、ＣＳを使用するように提供されており、ＳＭＳ−ＧＷ１０６は、ＵＥの現在のルーティング情報を判定し、かつＵＥのＭＩＮ情報を取得するために、ＵＥのＭＤＮを含むＭＡＰ  ＳＭＳＲＥＱ５０６をＨＬＲ１１６へ送る。  
４．ＨＬＲ１１６は、ＵＥのＭＩＮおよびＳＭＳアドレス（すなわち、ＭＳＣ／ＶＬＲ１１８アドレス）を含むＭＡＰ  ｓｍｓｒｅｑ応答メッセージ５０８を、ＳＭＳ−ＧＷ１０６へ送り戻す。  
５．ＳＭＳ−ＧＷ１０６は、ＵＥのＭＩＮを含むＭＡＰ  ＳＭＤＰＰメッセージ５０１を、ＵＥのための訪問ネットワーク内のＳＭＳアドレス（すなわち、ＭＳＣ／ＶＬＲ１１８アドレス）によって識別されるＭＳＣ５００へ送る。  
６．ＳＭＳメッセージは、１ｘ上でＵＥへ配信され、レイヤ２ＡＣＫが受信される。ＵＥは、簡略のために図示していない。  
７．ＵＥのための訪問ネットワーク内のＭＳＣ５００は、ＳＭＳ−ＧＷ１０６にＭＡＰ  ｓｍｄｐｐ成功応答メッセージ５１２を送る。  
８．オリジナルのＭＡＰ  ＳＭＤＰＰメッセージにおいて要求されれば、ＳＭＳ−ＧＷ１０６は、配信状態について通知するために、発信元ＳＭＳ−ＧＷへの新たなＭＡＰ  ＳＭＤＰＰメッセージ５１４を生成する。  
９．発信元ＳＭＳ−ＧＷは、ＭＡＰ  ｓｍｄｐｐ応答メッセージ５１６をＳＭＳ−ＧＷ１０６へ送ることによって応答する。
【００２３】
（ＩＭＳ登録されたＵＥによるＳＭＳ発信）  
別の局面では、図６は、ＳＩＰ登録されており、ＳＭＳメッセージを発行するＨＲＰＤに合わせられたシナリオのためのシグナリング・フローを例示する。この局面では、  
１．ＡＴ／ＭＳは、ＵＥ６００のＰ−ＣＳＣＦおよびＳ−ＣＳＣＦ１１４を経由して他のＳＭＳユーザへＳＩＰメッセージ６０２を送る。ＵＥ６００のＰ−ＣＳＣＦは簡略のために図示していない。このＳＩＰメッセージに関連付けられたコンテンツ−タイプ値は、“ａｐｐｌｉｃａｔｉｏｎ／ｖｎｄ．３ｇｐｐ２．ｓｍｓ”でありうる。ＳＩＰメッセージのペイロードは、バイナリ・エンコードされたＳＭＳトランスポート・レイヤ・メッセージを含みうる。  
２．フィルタ・サービス・ポイント・トリガに基づいて、Ｓ−ＣＳＣＦ１１４は、ＡＴ／ＭＳ６００のために、ＳＩＰメッセージ６０４をＳＭＳ−ＧＷ１０６へ転送する。  
３．ＳＭＳ−ＧＷ１０６は、ＡＴ／ＭＳ６００のＳ−ＣＳＣＦおよびＰ−ＣＳＣＦを経由してＵＥ６００へＳＩＰ２０２アクセプト・メッセージ６０６を送ることによって応答する。  
４．Ｓ−ＣＳＣＦ１１４は、ＵＥ６００のＰ−ＣＳＣＦを経由してＵＥ６００へＳＩＰメッセージ６０８を転送する。ＵＥ６００のＰ−ＣＳＣＦは、簡略のために図示していない。  
５．ＳＭＳ−ＧＷ１０６は、終端ＳＭＳ−ＧＷへＡＮＳＩ−４１  ＳＭＤＰＰメッセージ６１０を送る。終端ＳＭＳ−ＧＷは、簡略のために図示していない。  
６．終端ＳＭＳ−ＧＷは、ＵＥ６００のために、ＡＮＳＩ−４１  ｓｍｄｐｐメッセージ６１２をＳＭＳ−ＧＷ１０６へ送ることによって応答する。
【００２４】
（登録通知）  
別の局面では、コール配信のために、ネットワーク内のあらゆるあいまい性を取り除くために、音声通話連続性アプリケーション・サーバ（ＶＣＣ  ＡＳ：Voice Call Continuity Application Server）は、ＭＳが到達可能な場所を知る必要がある。すなわち、ＵＥがＤＯエア・インタフェースを検出しない場合（つまり、１ｘのみが利用可能である場合）、ＵＥは、ＶＣＣ  ＡＳ  ＰＳＩに関連付けられた予め定めた番号、例えばＥ．１６４にアドレスされたＳＭＳを送る。図７に示すように、以下は、１ｘ  ＣＳ登録後にＵＥが開始する通知のコール・フローを説明する。  
１．ＥＶ−ＤＯの有効範囲の喪失を検出すると、必要であれば、ＵＥ７００が１ｘに登録する。ＵＥ７００は、ＶＣＣ  ＡＳ１０７にアドレスされた（すなわち、ＵＥにおいて提供されたか、または、ＩＭＳ登録手続き中に受信された、ＡＣＣ  ＡＳ  ＰＳＩに関連付けられた、例えばＥ．１６４のような予め定めた番号にアドレスされた）ＳＭＳメッセージ内に通知メッセージ７１２をカプセル化する。  
２．ＡＤＤＳトランスファー・メッセージ７１４が、１ｘ  ＢＳＣ７０２から、訪問されたＭＳＣ７０４に送られる。  
３．訪問されたＭＳＣ７０４は、ＳＭＳメッセージ７１６を配信するためにＳＭＳＣアドレスのＶＬＲ照合を行なう。  
４．訪問されたＭＳＣ７０４は、ＳＭＳメッセージ７１８をＳＭＳＣ７０８へ転送する。  
５．ＳＭＳメッセージを受け取ると、ＳＭＳＣ７０８は、ＨＬＲ１１６照合を実行し（７２０）、目標アドレスを見つけて、メッセージを配信する。  
６．その後、ＳＭＳＣ７０８は、ＶＣＣ  ＡＳ１０７へメッセージ７２２を配信する。  
７．ＶＣＣ  ＡＳ１０７は、到来する全ての音声コールを、１ｘ上でＵＥ７００に配信するために、ＶＣＣ  ＵＥの状態を更新する。  
８．ＶＣＣ  ＡＳ１０７は、肯定的なアクノレッジメント７２４を用いて、配信されたＳＭＳメッセージに対して応答する。  
９−１１．配信レポート・メッセージが、ＳＭＳＣ／ＭＳＣを介して発信元ＵＥへ転送される。  
１２．ＤＯが再び利用可能になる場合、ＵＥ７００がＩＭＳ再登録を行う。そして、ＤＯエア・インタフェースを用いて将来のコールが配信されるように、ＡＣＣ  ＡＳ１０７が、サード・パーティ登録によって更新される。
【００２５】
したがって、本発明は、ＤＯおよび１ｘネットワークまたはインタフェース上で配信されるべきであるＳＭＳを提供し、かつ、ＭＳＣインタフェース上の負荷を低減するための技術を開示する。特に、本発明は、ＤＯが利用可能な場合、ＳＩＰ内にカプセル化されたＳＭＳをＤＯ上で配信することによって、ＭＳＣの負荷を低減する。すなわち、ＡＴが、ページを求めてＤＯ制御チャネルをモニタすると、ＤＯコネクション上でＤＯページを受け取った後に、ＳＩＰにカプセル化されたＳＭＳがＡＴへ配信される。上述するような本発明の他の局面は、以下を含む。  
・ＡＴがＤＯエア・インタフェースを検出しない場合（つまり、１ｘのみが利用可能である場合）、ＡＴは、ＡＴに関連付けられたＳＭＳ−ＧＷによってインターセプトされ使用される予め与えられた番号へＳＭＳを送る。ＳＭＳ−ＧＷは、この特別なＳＭＳを受け取ると、このモバイルを（ＳＩＰネットワークから）登録解除する。そうでない場合、ＳＭＳ−ＧＷは、ＳＭＳサービスに対するＡＴの登録解除を試みる。ＤＯが再び利用可能になった場合、ＡＴは、ＳＭＳがＤＯエア・インタフェースを用いて配信されるように、ＳＩＰ登録を行う。  
・これは、ＳＭＳ処理に関するＭＳＣの負荷を低減する。  
・ＡＴが、ＤＯ上におけるＳＭＳ配信が可能であることを示し、ネットワークが、肯定的または否定的な応答を示す場合、ＡＴとＡＮは、ＳＩＰイベント通知パッケージを担当する。ＳＩＰ登録が成功し、ＳＩＰイベント通知が、ＳＭＳ利用可能を示す場合、ＡＴは、ＳＩＰを用いて、ＳＭＳをＥＶ−ＤＯ上で発信する。  
・そうではない場合、ＤＯを介したＳＭＳ機能をＡＴに提供するためにＯＴＡＳＰが使用されうる。ＡＴに、「ＤＯを介したＳＭＳ機能」（SMS over DO capability）が提供されると、ＡＴは、ＤＯが利用可能な場合に、ＤＯ上でＳＩＰによってＳＭＳを送るだろう。
【００２６】
図８に、本発明の別の局面を示す。ここでは、（有効な加入のある）第１のＡＴが、ＳＭＳ−ＧＷへ特別なＳＭＳを送り、（ＤＯの代わりに）１ｘで実行される第２のＡＴのＳＭＳ配信を要求する場合、ＭＳＣが、ＩＭＳＩおよびＡＵＴＨＲを含むＡＤＤＳ転送メッセージとして発信者を認証するので、サービス拒否問題には至らない。すなわち、ＳＭＳ−ＧＷは、「特別なＳＭＳ」が送られるモバイルのアイデンティティを、SMS_OriginalOriginatingAddressと比較する。そして、ＳＭＳ−ＧＷは、SMS_OriginalOriginatingAddressによってそのアドレスが示されるモバイルを、ＳＩＰネットワークから登録解除する。図８に図示する例では、SMS_OriginalOriginatingAddressは、第２のＡＴのアドレスであろうから、第２のＡＴは、第１のＡＴのＳＩＰネットワークからの登録解除を引き起こさないだろう。
【００２７】
図９に例示するような別の局面では、ＡＴが特別なＳＭＳをＳＭＳ−ＧＷへ送った後、ＤＯに合わせ、ＳＩＰ登録メッセージを送ることが可能なシナリオが示される。ここでの問題点は、ＳＩＰ登録後にＳＭＳ−ＧＷによる登録解除が生じたらどうするかである。すなわち、それは、ＡＴがＤＯ上にいながらＩＭＳから登録解除されることになるであろうから、ＳＭＳメッセージは、ＡＴへ配信されないだろう。本発明は、ＡＴへＳＭＳを送るためにＳＭＳ−ＧＷを提供することによって、上記シナリオに記載された競合状態を回避し、登録解除が実行されたことを確認する。更に詳しくは、ＡＴは、この確認ＳＭＳを受け取る前に、ＤＯに合わせるべきではない。
【００２８】
本発明は、音声サービスが１ｘ上で配信される間に、ＤＯ上でＳＭＳを配信（し、もって、１ｘ  ＭＳＣの負荷を低減）する問題に対処する。本発明は更に、ＶｏＩＰがＤＯ上で提供され、（ＳＭＳと同様に）音声サービスがＤＯ上で配信されるべきであるシナリオに対処することが注目されるべきである。更に詳しくは、ＡＴがＤＯ有効範囲を入る場合、ＡＴはＳＩＰ登録を行い、ＡＴがＤＯ有効範囲から出て、１ｘのみの有効範囲に入ると、ＡＴは、ＳＭＳ−ＧＷへ特別なＳＭＳを送る。これは、ＳＩＰからＡＴを登録解除することになる。音声コールが、通話連続性管理機能／ネットワーク・ドメイン選択（ＣＣＣＦ／ＮｅＤＳ）に到着すると、ＡＴが、ＳＩＰ登録されていないかをＨＬＲに問い合わせるだろう。そうでない場合、ＩＭＳ／ＤＯ上で音声コールを配信するだろう。
【００２９】
本発明は、当業者が、情報および信号が、様々な異なる技術および技法のうちの何れかを用いて表されることを理解できるように記載された。例えば、上述した記載の全体で引用されているデータ、命令群、コマンド、情報、信号、ビット、シンボル、およびチップは、電圧、電流、電磁波、磁場または磁性粒子、光学場または光学微粒子、あるいはこれら何れかの組み合わせによって表現されうる。
【００３０】
当業者であれば、更に、本明細書で開示された実施形態に関連して記載された様々な例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、様々な例示的な部品、ブロック、モジュール、回路、およびステップが、それらの機能に関して一般的に記述された。それら機能がハードウェアとして又はソフトウェアとして実現されるかは、特定のアプリケーション及びシステム全体に課せられている設計制約に依存する。当業者であれば、各特定のアプリケーションに応じて変化する方法で上述した機能を実現することができる。しかしながら、この適用判断は、本発明の範囲からの逸脱をもたらすものと解釈されるべきではない。
【００３１】
本明細書で開示された実施形態に関連して記述された様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は上述された機能を実現するために設計された上記何れかの組み合わせを用いて実現又は実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００３２】
本明細書で開示された実施形態に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。このプロセッサと記憶媒体とは、ＡＳＩＣ内に存在することができる。ＡＳＩＣは、ユーザ端末内に存在することもできる。あるいはこのプロセッサと記憶媒体とは、ユーザ端末内のディスクリート部品として存在することができる。
【００３３】
開示された実施形態における上述の記載は、当業者をして、本発明の製造または利用を可能とするように提供される。これらの実施形態への様々な変形例もまた、当業者には明らかであって、本明細書で定義された一般的な原理は、本発明の主旨または範囲から逸脱することなく他の実施形態にも適用されうる。このように、本発明は、本明細書で示された実施形態に限定されるものではなく、本明細書に記載された原理および新規な特徴に一致した最も広い範囲に相当することが意図されている。
【図面の簡単な説明】
【００３４】
【図１】図１は、ＳＭＳ開始および終了のためのシグナリング・フローをサポートするネットワークを例示する。
【図２】図２は、端末が、ＳＩＰ登録されており、ＨＲＰＤに合わせられ、ＳＭＳメッセージを受信するシナリオのためのシグナリング・フローを例示する。
【図３】図３は、端末が、ＩＭＳ登録されていないがＣＳ登録されており、ＳＭＳメッセージを受信するシナリオのためのシグナリング・フローを例示する。
【図４】図４は、端末が、ＩＭＳ登録されていないがＣＳ登録されており、１ｘに合わせられ、ＳＭＳ−ＧＷが、アプリケーション・サーバに対して、端末が、ＩＭＳ登録されているかを判定するように問い合わせるシナリオのためのシグナリング・フローを例示する。
【図５】図５は、端末がＣＳ登録されておりＳＭＳメッセージを受信するシナリオのためのシグナリング・フローを例示する。
【図６】図６は、端末が、ＳＩＰ登録されており、ＳＭＳメッセージを発信するためにＨＲＰＤに合わせられたシナリオのためのシグナリング・フローを例示する。
【図７】図７は、１ｘＣＳ登録後、ＵＥによって開始される通知のコール・フローを例示する。
【図８】図８は、多くのアクセス端末間でサービス拒否を発行することに対し、本発明がどのようにして取り組むかを示すシグナリング・フローを例示する。
【図９】図９は、本発明が競合状態をどのようにして回避するかを示すシグナリング・フローを例示する。
【図１】
2009519688.tif 000003
【図２】
2009519688.tif 000004
【図３】
2009519688.tif 000005
【図４】
2009519688.tif 000006
【図５】
2009519688.tif 000007
【図６】
2009519688.tif 000008
【図７】
2009519688.tif 000009
【図８】
2009519688.tif 000010
【図９】
2009519688.tif 000011
【国際調査報告】
2009519688.tif 000012
2009519688.tif 000013
2009519688.tif 000014
2009519688.tif 000015
2009519688.tif 000016